(57)【要約】      （修正有）【課題】電線の長さに制限されずに、照明器具の高さを無段階に調整できる高さ無段階調整式照明器具を提供する。【解決手段】ベース１０と、ベースに立設され、その両側には、鉛直方向に沿って延びるスライド溝１４がそれぞれ設けられ、スライド溝のベースから遠ざかった一端に止め部が設けられる立設ロッド１１と、二つのスライド溝内にそれぞれ設けられ、電源と電気的に接続する二つの正負極導電片１２と、立設ロッドに組み付けられるスリーブ２１と、笠２２と、を備える。また、スリーブは立設ロッドを嵌めて連接する貫通孔２４を有し、笠とスリーブは少なくとも一つのリブを介して連接する照明器具２０と、回路板２５と電気的に接続する少なくとも一つの発光ダイオード３０と、スリーブに埋められる収容ケースと、止め部に規制されるスチール玉と、バネと、を備え、二つの正負極導電片と接触する少なくとも二つの弾性挟み具２６と、を含む。【選択図】図２
0003173746.tif 000002
【実用新案登録請求の範囲】
【請求項１】
ベース（１０）と、
前記ベース（１０）に立設され、その両側には、鉛直方向に沿って延びるスライド溝（１４）がそれぞれ設けられ、前記スライド溝（１４）の前記ベース（１０）から遠ざかった一端に止め部（１４１）が設けられる立設ロッド（１１）と、
前記二つのスライド溝（１４）内にそれぞれ設けられ、電源と電気的に接続する二つの正負極導電片（１２）と、
前記立設ロッド（１１）に組み付けられる、スリーブ（２１）と、笠（２２）と、を有し、前記スリーブ（２１）は前記立設ロッド（１１）を嵌めて連接する貫通孔（２４）を有し、前記笠（２２）と前記スリーブ（２１）は少なくとも一つのリブ（２３）を介して連接し、前記スリーブ（２１）に回路板（２５）が少なくとも一つ設けられる照明器具（２０）と、
前記照明器具（２０）に組み付けられ、前記回路板（２５）と電気的に接続し、その光線が前記笠（２２）を透過可能である少なくとも一つの発光ダイオード（３０）と、
前記スリーブ（２１）に埋められる収容ケース（２６１）と、前記収容ケース（２６１）内に設けられ、前記止め部（１４１）に規制されるスチール玉（２６２）と、前記収容ケース（２６１）内に設けられ、前記スチール玉（２６２）を付勢して、前記スチール玉（２６２）の一部を前記収容ケース（２６１）から露出させ前記正負極導電片（１２）と接触させるバネ（２６３）と、を備え、前記二つの正負極導電片（１２）と接触し、前記収容ケース（２６１）と前記回路板（２５）は、正負極のケーブル（２６４）を介して電気的に接続する少なくとも二つの弾性挟み具（２６）と、
を含むことを特徴とする高さ無段階調整式照明器具。
【請求項２】
前記立設ロッド（１１）の横断面形状は、矩形又は円形を呈することを特徴とする、請求項１に記載の高さ無段階調整式照明器具。
【請求項３】
前記ベース（１０）の内部には、電源と電気的に接続する電源変換器（１３）が組み付けられ、前記電源変換器（１３）が蓄電池（１３１）と電気的に接続し、前記正負極導電片（１２）の底端と前記蓄電池（１３１）は、正負極のケーブル（１５）を介して電気的に接続することを特徴とする、請求項１に記載の高さ無段階調整式照明器具。
【考案の詳細な説明】
【技術分野】
【０００１】
本考案は、照明器具に関し、特に、高さ無段階調整式照明器具に関するものである。
【背景技術】
【０００２】
寝室、客間や居間に設置される立設式照明器具の電灯からの光は、天井に向かって投射されることが一般的である。室内の雰囲気を向上するために、照明器具からの光の色調は柔らかい黄色を採用することが一般的である。床置き型の立設式照明器具は、室内の照明を補助し、室内の雰囲気を向上する効果を有する他、その造形により室内を装飾する効果もある。従来の立設式照明器具は、図１に示すように、台座１と、前記台座１に立設される支持ロッド２と、前記支持ロッド２の上部に設けられる照明器具３と、を含む。台座１には、電源と電気的に接続する電線４が設けられる。従来の立設式照明器具の高さは一定であるため、ユーザの思い通りに調整できない。ユーザが本や雑誌などを読みたい場合には、寝室内にある電灯をオンにする他、立設式照明器具をオンにすると、室内の光度が更に増加する。特に、立設式照明器具は、本などを読んでいるユーザの高さに調整して、その光を左上方から本などに投射することが好ましい。そしてユーザが寝たい場合には、寝室の光度を減少させるために、寝室内にある電灯をオフにして、立設式照明器具の高さを高くするように調整すると、立設式照明器具からの光が天井に投射され室内に反射し、これにより、暖かい雰囲気を作り出すことができる。しかし、従来の立設式照明器具の高さは一定であるため、上記のような効果を実現することができない。
【考案の概要】
【考案が解決しようとする課題】
【０００３】
本考案の主な目的は、電線の長さに制限されずに、照明器具の高さを無段階に調整できる高さ無段階調整式照明器具を提供することにある。
【課題を解決するための手段】
【０００４】
本考案の高さ無段階調整式照明器具によると、ベース１０と、ベース１０に立設され、その両側には、鉛直方向に沿って延びるスライド溝１４がそれぞれ設けられ、スライド溝１４のベース１０から遠ざかった一端に止め部１４１が設けられる立設ロッド１１と、二つのスライド溝１４内にそれぞれ設けられ、電源と電気的に接続する二つの正負極導電片１２と、立設ロッド１１に組み付けられる、スリーブ２１と、笠２２と、を有し、スリーブ２１は立設ロッド１１を嵌めて連接する貫通孔２４を有し、笠２２とスリーブ２１は少なくとも一つのリブ２３を介して連接し、スリーブ２１に回路板２５が少なくとも一つ設けられる照明器具２０と、照明器具２０に組み付けられ、回路板２５と電気的に接続し、その光が笠２２を透過可能である少なくとも一つの発光ダイオード３０と、スリーブ２１に埋められる収容ケース２６１と、収容ケース２６１内に設けられ、止め部１４１に規制されるスチール玉２６２と、収容ケース２６１内に設けられ、スチール玉２６２を押付けて、スチール玉２６２の一部を収容ケース２６１から露出させ、正負極導電片１２と接触させるバネ２６３と、を備え、二つの正負極導電片１２と接触し、収容ケース２６１と回路板２５は、正負極のケーブル２６４を介して電気的に接続する少なくとも二つの弾性挟み具２６と、を含むことを特徴とする。
【０００５】
本考案の高さ無段階調整式照明器具によると、立設ロッド１１の横断面形状は、矩形又は円形を呈することを特徴とする。
【０００６】
本考案の高さ無段階調整式照明器具によると、ベース１０の内部には、電源と電気的に接続する電源変換器１３が組み付けられ、電源変換器１３が蓄電池１３１と電気的に接続し、正負極導電片１２の底端と蓄電池１３１は、正負極のケーブル１５を介して電気的に接続することを特徴とする。
【考案の効果】
【０００７】
本考案の高さ無段階調整式照明器具によれば、電線の長さに制限されることがなく、照明器具の高さを無段階に調整できるという効果を有する。
【図面の簡単な説明】
【０００８】
【図１】従来の立設式照明器具を示す斜視図である。
【図２】本考案の一実施例を示す分解斜視図である。
【図３Ａ】本考案の一実施例の構成を示す縦断面図である。
【図３Ｂ】図３Ａ中の２点鎖線で囲った範囲を示す拡大図である。
【図４】本考案の一実施例の構成を示す横断面図である。
【図５】本考案の一実施例の部品の連接を示す模式図である。
【図６】本考案の一実施例の動作を示す模式図である。
【考案を実施するための形態】
【０００９】
以下、本考案の実施の形態を図面に基づいて説明する。
まず、図２乃至図４を参照する。図２は本考案の一実施例を示す分解斜視図であり、図３Ａは本考案の一実施例の構成を示す縦断面図、図３Ｂは図３Ａ中の２点鎖線で囲った範囲を示す拡大図及び図４は本考案の一実施例の構成を示す横断面図である。本考案の一実施例の高さ無段階調整式照明器具は、ベース１０と、立設ロッド１１と、二つの正負極導電片１２と、照明器具２０と、照明器具２０に組み付けられる少なくとも一つの発光ダイオード３０と、照明器具２０に組み付けられて二つの正負極導電片１２と接触する少なくとも二つの弾性挟み具２６と、を含む。
【００１０】
ベース１０の内部には、電源と電気的に接続する電源変換器１３が組み付けられる。本実施例では、電源変換器１３が蓄電池１３１と電気的に接続する。
【００１１】
立設ロッド１１の横断面形状は矩形又は円形を呈する。本実施例では、図４に示すように、立設ロッド１１の横断面形状は矩形である。立設ロッド１１は、ベース１０に立設され、その両側には、鉛直方向に沿って延びるスライド溝１４がそれぞれ設けられる。二つの正負極導電片１２はそれぞれ二つのスライド溝１４に設けられる。スライド溝１４のベース１０から遠ざかった一端には、止め部１４１が設けられる。正負極導電片１２の底端と蓄電池１３１は、正負極のケーブル１５を介して電気的に接続する。実際には、電源変換器１３は、蓄電池１３１と電気的に接続せず、正負極のケーブル１５に直接接続して二つの正負極導電片１２と電気的に接続してもよい。
【００１２】
照明器具２０は、立設ロッド１１に組み付けられる、スリーブ２１と、笠２２と、を有する。発光ダイオード３０からの光は笠２２を透過可能である。笠２２とスリーブ２１は少なくとも一つのリブ２３を介して連接する。スリーブ２１は立設ロッド１１を嵌めて連接する貫通孔２４を有する。スリーブ２１には、回路板２５が少なくとも一つ設けられる。図５は本考案の一実施例の部品の連接を示す模式図である。図５に示すように、回路板２５は発光ダイオード３０と電気的に接続する。スリーブ２１の正負極導電片１２に対応する箇所では、弾性挟み具２６が設けられる。弾性挟み具２６は、更に、スリーブ２１に埋められる収容ケース２６１と、収容ケース２６１内に設けられて止め部１４１に規制されるスチール玉２６２と、収容ケース２６１内に設けられ、スチール玉２６２を押付けて、スチール玉２６２の一部を収容ケース２６１から露出させ正負極導電片１２と接触させるバネ２６３と、を備える。収容ケース２６１と回路板２５は、正負極のケーブル２６４を介して電気的に接続する。このように、弾性挟み具２６により、発光ダイオード３０と正負極導電片１２が電気的に接続する。
【００１３】
ベース１０内に収容される電源変換器１３は、電源と電気的に接続し、且つ二つの正負極導電片１２と電気的に接続する。二つのスチール玉２６２は、二つのバネ２６３に付勢されて二つの正負極導電片１２を挟む。照明器具２０と立設ロッド１１を連接して、照明器具２０を押さえて上下に移動すると、二つのスチール玉２６２が駆動して二つの正負極導電片１２に沿って上下に移動する。二つのスチール玉２６２は、止め部１４１に規制されて脱出できず、且つ収容ケース２６１内に収容されて収容ケース２６１と接触する。収容ケース２６１と回路板２５は、二つのケーブル２６４を介して電気的に接続する。発光ダイオード３０は回路板２５と電気的に接続する。このように、電気回路が形成される。電源を入れると、発光ダイオード３０が点灯される。
【００１４】
本考案の一実施例の高さ無段階調整式照明器具によれば、ユーザは照明器具２０を押さえて上下に移動でき、これにより、発光ダイオード３０が同時に上下に移動する。ユーザが座って本や雑誌などを読みたい場合には、図３Ａに示すように、本などを読んでいるユーザの高さに立設式照明器具を調整することにより、ユーザが読んでいる本などに投射する光の光度を増加できる。図６は、本考案の一実施例の動作を示す模式図である。平常時には、図６に示すように、照明器具２０を上に移動することにより、立設式照明器具からの光が天井に投射され室内に反射し、これにより、暖かい雰囲気を作り出すことができる。
【００１５】
特に、電源と電気的に接続する電源変換器１３と、電源変換器１３と電気的に接続する蓄電池１３１は、ベース１０の内部に組み付けられ、正負極のケーブル１５を介して二つの正負極導電片１２と電気的に接続する。スリーブ２１は、弾性挟み具２６を介して二つの正負極導電片１２を挟む。二つのスチール玉２６２は二つの正負極導電片１２と電気的に接続する。このように、照明器具２０は立設ロッド１１に沿って上下に移動でき、電源が発光ダイオード３０と持続して電気的に接続できるため、電線の長さに制限されずに、照明器具２０の高さを無段階に調整できる。
【産業上の利用可能性】
【００１６】
本考案は、照明器具に適用することができる。
【符号の説明】
【００１７】
１  台座
２  支持ロッド
３  照明器具
４  電線
１０  ベース
１１  立設ロッド
１２  正負極導電片
１３  電源変換器
１４  スライド溝
１５  ケーブル
２０  照明器具
２１  スリーブ
２２  笠
２３  リブ
２４  貫通孔
２５  回路板
２６  弾性挟み具
３０  発光ダイオード
１３１  蓄電池
１４１  止め部
２６１  収容ケース
２６２  スチール玉
２６３  バネ
２６４  ケーブル
【図１】
0003173746.tif 000003
【図２】
0003173746.tif 000004
【図３Ａ】
0003173746.tif 000005
【図３Ｂ】
0003173746.tif 000006
【図４】
0003173746.tif 000007
【図５】
0003173746.tif 000008
【図６】
0003173746.tif 000009